(57)【要約】      （修正有）【課題】良好な溶接品質を維持でき、取り付けの手間も少なく自動溶接が容易な端部支持部材を有するトラス付きデッキを提供する。【解決手段】正面三角状に平行配置した１本の上弦鉄筋２と２本の下弦鉄筋３、３’と、上弦鉄筋および下弦鉄筋に溶接したラチス鉄筋４、４’とからなるトラス１の複数個を並列させて底板１２に溶接し、トラス１の両端部に端部支持部材１６を設けたトラス付きデッキプレート１３とする。端部支持部材１６は鉄筋に前記トラスの配置間隔に合わせて複数のＶ字形の曲げ部を形成させたものであり、端部支持部材をそのＶ字形の頂部が下部よりもトラス内側に位置するように傾斜させた状態で、Ｖ字形の頂部が上弦鉄筋を跨ぐようにＶ字形の頂部内側を上弦鉄筋の上面に溶接し、端部支持部材の内側面を下弦鉄筋の外側面に溶接し、そして端部支持部材の両端部および隣り合うＶ字形の曲げ部１７の中間部を底板１２にそれぞれ溶接してある。【選択図】図１
0003157509.tif 000002
【実用新案登録請求の範囲】
【請求項１】
１本の上弦鉄筋と２本の下弦鉄筋とを正面三角状に平行配置し、波状に屈曲させた２本のラチス鉄筋をそれぞれその上側屈曲部で上弦鉄筋に溶接し、各ラチス鉄筋の下部に近い外側を下弦鉄筋の内側に溶接してなるトラスの複数個を並列させて前記ラチス鉄筋の下端で底板に溶接してなり、そして各トラスの両端部に端部支持部材を設けてなるトラス付きデッキプレートにおいて、前記端部支持部材は、鉄筋に前記トラスの配置間隔に合わせて複数のＶ字形の曲げ部を形成させたものであり、端部支持部材をそのＶ字形の頂部が下部よりもトラス内側に位置するように傾斜させた状態で、前記端部支持部材のＶ字形の頂部が上弦鉄筋を跨ぐようにＶ字形の頂部下面を上弦鉄筋の上面に溶接し、前記端部支持部材の内側面を下弦鉄筋の外側面に溶接し、そして端部支持部材の両端部および隣り合うＶ字形の曲げ部の中間部を底板にそれぞれ溶接してあることを特徴とするトラス付きデッキプレート。
【請求項２】
２個の前記トラスが底板に溶接されており、前記端部支持部材は逆Ｗ字の形状を有する請求項１記載のトラス付きデッキプレート。
【請求項３】
前記端部支持部材は垂直面から５〜４５度傾斜させている請求項１または２に記載のトラス付きデッキプレート。
【請求項４】
横梁に係止させるためのＬ字形部材を前記底板の両端部に溶接してある請求項１〜３のいずれか１項に記載のトラス付きデッキプレート。
【考案の詳細な説明】
【技術分野】
【０００１】
本考案は、鉄筋トラス付きデッキすなわち鉄筋と捨て型枠を一体化した床スラブ構造材、特に鉄筋トラス付きデッキの端部構造に関するものである。
鉄筋トラス付きデッキ（以下単に「トラス付きデッキ」と呼ぶ）は、建築の床仕様にあわせて製造・搬入されるので敷き込み・固定の現場作業は容易になる、トラス付きデッキの鉄筋がスラブ主筋の一部として利用できる、トラス付きデッキは型枠を兼ね原則としてサポート等の仮設材を使用しないなどのために工期短縮、現場配筋作業の軽減、型枠・サポート等が不要となる等の効果が得られるため広く使用されている。
【背景技術】
【０００２】
トラス付きデッキとして、１本の上弦鉄筋と２本の下弦鉄筋とを正面三角状に平行配置し、波状に屈曲させた２本のラチス鉄筋をそれぞれその上側屈曲部で上弦鉄筋に溶接し、各ラチス鉄筋の下部に近い外側に下弦鉄筋の外側に溶接してなるトラスの複数個を並列させて前記ラチス鉄筋の下端で底板に溶接してなり、そして両端部に端部支持部材を設けてなるものが知られている。端部支持部材は、現場施工においてトラス付きデッキを横梁に架け渡してトラス付きデッキの端部を横梁の上に載置する際に横梁によってトラスを直接支持させるための部材である。
【０００３】
この端部支持部材としてはトラスの端部において上弦鉄筋と下弦鉄筋とを鉄筋で連結固着した図１３および図１４に示すような十字型端部支持部材が従来使用されている。図１３，１４において、上弦鉄筋２および２本の下弦鉄筋３，３’の端部を突出させ、Ｌ型垂直鉄筋３０の水平先端部３１がトラスの外側に向くようにしてＬ型垂直鉄筋３０の上部３２を上弦鉄筋２の端部３８の下面に溶接して、Ｌ型垂直鉄筋の曲げられた水平部分３１が底板１２の上面に接するようにする。そして水平鉄筋３３を下弦鉄筋３，３’の両突出部３４に載置させかつＬ型垂直鉄筋３０に当て付けた状態で水平鉄筋の両端３５，３５と各下弦鉄筋端部３４，３４とを溶接し、そして水平鉄筋３３とＬ型垂直鉄筋３０とをその交叉部３６で溶接することにより端部支持部材を形成する。なお図において４、４’は波状に屈曲させた２本のラチス鉄筋を示す。
【０００４】
トラス付きデッキを横梁に支持させる方法は横梁が鉄骨（Ｓ造）であるか、補強鉄筋コンクリート製（ＲＣ造）であるかによって異なる。横梁が鉄骨（Ｓ造）である場合は、Ｌ型垂直鉄筋の曲げられた水平先端部を鉄骨横梁に底板とともに溶接することにより行われる。横梁が補強鉄筋コンクリート製（ＲＣ造）である場合は、Ｌ型垂直鉄筋としてその先端を更に下方に曲げてクランク状としたものを用いて、横梁の補強鉄筋コンクリート型枠の外側にＬ型垂直鉄筋の下方曲げ部分を引っ掛けようにして係合させさらに前記型枠の桟木にトラス付きデッキの底板を釘打ち固定することにより行われる。
【０００５】
以上のように従来の十字型端部支持部材をトラス付きデッキに溶接する作業工程は複雑なため、人手によって行われているが、この作業工程を自動溶接機により行うことが要望されている。もし端部支持部材のＬ型垂直鉄筋と水平鉄筋との交叉点を予め溶接したものを準備しておき、これを用いて自動溶接しようとした場合には、上弦鉄筋、下弦鉄筋および底板の位置関係、特に上弦鉄筋の高さにはわずかではあるが許容寸法誤差が生じるので溶接の品質を保持することができず、溶接できない部分が生じたり溶接不良が生じてしまう。従って上記十字型端部支持部材をトラス付きデッキに固着するためには、溶接作業工程は手作業によって行わうことが必要であり、機械により自動溶接化することが困難であった。
【０００６】
上記の十字型端部支持部材に代わるものとして、特許文献１には、鉄筋をＶ字形に曲げ、このＶ字形の鉄筋を含む面と垂直方向に両端部を曲げて下端部を形成してあり、上記Ｖ字形の頂部を上弦鉄筋の下面に突き合わせ、該支持部材の外側面を下弦鉄筋の内側面に溶接してなる端部支持部材が提案されている。
【０００７】
また特許文献２には、下方が開口した枠状であって底板と平行な上枠部と、下方に伸びる側枠部とを有し、前記上枠部が上弦鉄筋に固着され、側枠部が下弦鉄筋に固着した端部支持部材が提案されており、またこの端部支持部材を上方が内側に傾斜するように設けることができその場合にはトラスの補強機能を有すること、および端部支持部材の下部に水平部と垂直部を設けてもよい旨も記載されている。
【特許文献１】特開２００３−１９３６０８号公報
【特許文献２】特開２００３−１６０９８８号公報
【考案の開示】
【考案が解決しようとする課題】
【０００８】
しかしながら上記特許文献１記載の発明では、端部支持部材が上弦鉄筋、下弦鉄筋およびラチス鉄筋からなるトラスの内側に嵌め込むように設けるものであるために、端部支持部材をその所定位置にセットして溶接するには複雑な操作が必要であり、溶接の品質を維持しながら自動溶接するのは困難である。特にトラスを底板に溶接した後に端部支持部材を自動的にセット、溶接することには困難が伴う。またトラス付きデッキは複数個のトラスを有しており、端部支持部材を各トラス毎に取り付ける必要があるので手間がかかるという課題もある。
【０００９】
また上記特許文献２記載の発明では、（１）端部支持部材の上枠部の長さが上弦鉄筋の直径に比して大きいために端部支持部材をセットする際の位置決めがし難くなって溶接の品質が低下し易い、（２）端部支持部材を傾斜させて設けた場合、端部支持部材の下部に形成させた水平部、または水平部および垂直部とが端部支持部材の傾斜に伴ってそれぞれ水平および垂直からずれるため、現場施工を行う際に、端部支持部材の横梁鉄骨への溶接作業がし難くなったり、横梁ＲＣ型枠への係合が不充分になり易くなる。（３）またトラス付きデッキは複数個のトラスを有しており、端部支持部材を各トラス毎に取り付ける必要があるので手間がかかるという課題もある。
【００１０】
本考案の課題は、人手による溶接作業を要せずに、トラスの諸寸法が許容誤差を有していても良好な溶接品質を維持でき、取り付けの手間も少なく自動溶接が容易な端部支持部材を有するトラス付きデッキを提供することである。
【課題を解決するための手段】
【００１１】
すなわち本考案は、１本の上弦鉄筋と２本の下弦鉄筋とを正面三角状に平行配置し、波状に屈曲させた２本のラチス鉄筋をそれぞれその上側屈曲部で上弦鉄筋に溶接し、各ラチス鉄筋の下部に近い外側を下弦鉄筋の内側に溶接してなるトラスの複数個を並列させて前記ラチス鉄筋の下端で底板に溶接してなり、そして各トラスの両端部に端部支持部材を設けてなるトラス付きデッキプレートにおいて、前記端部支持部材は、鉄筋に前記トラスの配置間隔に合わせて複数のＶ字形の曲げ部を形成させたものであり、端部支持部材をそのＶ字形の頂部が下部よりもトラス内側に位置するように傾斜させた状態で、前記端部支持部材のＶ字形の頂部が上弦鉄筋を跨ぐようにＶ字形の頂部下面を上弦鉄筋の上面に溶接し、前記端部支持部材の内側面を下弦鉄筋の外側面に溶接し、そして端部支持部材の両端部および隣り合うＶ字形の曲げ部の中間部を底板にそれぞれ溶接してあることを特徴とするトラス付きデッキプレートである。
【００１２】
本考案において上弦鉄筋、下弦鉄筋、ラチス鉄筋、底板および端部支持部材として下記のものが好ましく用いられる。
上弦鉄筋−−鉄筋コンクリート用棒鋼（ＪＩＳ  Ｇ  ３１１２）直径は１０〜１６ｍｍ
下弦鉄筋−−鉄筋コンクリート用棒鋼（ＪＩＳ  Ｇ  ３１１２）直径は５〜１３ｍｍ
ラチス鉄筋−−普通鉄線（ＪＩＳ  Ｇ  ３５３２）直径４〜８ｍｍ
底板−−亜鉛めっき鋼板（ＪＩＳ  Ｇ  ３３０２）厚さ０．４〜０．５ｍｍ
端部支持部材−−普通鉄線（ＪＩＳ  Ｇ  ３５３２）直径５〜１０ｍｍ
【考案の効果】
【００１３】
本考案によれば端部支持部材を傾斜させてトラスに溶接固着することができるので、上弦鉄筋の高さに許容寸法誤差があっても溶接不良が生じることなく溶接の品質を保持することができ、従って自動溶接が容易である。また端部支持部材は複数のトラスに対して、一体化された１個の部材を共通して使用するので、作業工程を簡略化することができ、溶接自動化によりコストダウンをはかり、また溶接自動化によりタクトアップによる効率化をはかることができる。
【考案を実施するための最良の形態】
【００１４】
以下に実施例をあげて本考案の実施の形態を具体的に説明する。
トラスは上弦鉄筋、下弦鉄筋およびラチス鉄筋から構成される。図１〜３に示すように１本の上弦鉄筋２と２本の下弦鉄筋３，３’とを平行に、そして正面（図３）からみて、二等辺三角形の頂角を形成する頂点に上弦鉄筋２が位置し、そして二等辺三角形の底角を形成する２つの頂点に２本の下弦鉄筋３，３’のそれぞれが位置するように三角状に配置する。波状に屈曲させた２本のラチス鉄筋４，４’の一方４はその上側屈曲部５で、図２，３に示すように上弦鉄筋の左側６に溶接固着してあり、ラチス鉄筋４の下部に近い外側７は一方の下弦鉄筋３の内側に溶接してある。同様に他方のラチス鉄筋４’はその上側屈曲部８で上弦鉄筋２の右側９に溶接して固着され、ラチス鉄筋の下部に近い外側１０で他方の下弦鉄筋４’の内側に溶接して固着される。ラチス鉄筋４,４’の下側屈曲部１１，１１’は下端部が外方に向けて水平方向に屈曲されている。
【００１５】
このように上弦鉄筋２、下弦鉄筋３，３’およびラチス鉄筋４,４’からなるトラス１は複数個（図では２個）並列させて前記ラチス鉄筋４，４’の下端である水平方向に屈曲された下側屈曲部１１，１１’において底板１２に溶接されてトラス付きデッキプレート１３を構成する。上記のトラス付きデッキプレートの材料の一例として、上弦鉄筋としては直径が１３ｍｍの鉄筋コンクリート用棒鋼（ＪＩＳ  Ｇ  ３１１２）が、下弦鉄筋としては直径が６ｍｍの鉄筋コンクリート用棒鋼（ＪＩＳ  Ｇ  ３１１２）が、ラチス鉄筋としては直径が４ｍｍの普通鉄線（ＪＩＳ  Ｇ  ３５３２）が、そして端部支持部材としては直径が７ｍｍの普通鉄線（ＪＩＳ  Ｇ  ３５３２）がそれぞれ使用される。トラス付きデッキプレートの寸法を一例として挙げると、トラスの高さは１３０ｍｍ、下弦鉄筋の高さは３０ｍｍ、２本の下弦鉄筋の間隔は７０ｍｍ、ラチス鉄筋の波状屈曲のピッチは２００ｍｍ、２本のトラスの間隔は２００ｍｍ、そして底板の長さおよび巾はそれぞれ１０００ｃｍおよび巾４０ｃｍである。
【００１６】
底板１２の両縁部１４のそれぞれは上向きまたは下向きに折り曲げられた連結部１５,１５’を有し、トラス付きデッキプレートを複数枚並べた時に隣接する底板の連結部１５,１５’が互いに嵌合されて連結される。
【００１７】
トラス付きデッキプレートの複数個のトラスの両端部に端部支持部材が設けられている。端部支持部材は、隣接する複数個のトラスの端部に跨るように、鉄筋に前記トラスの配置間隔に合わせて複数のＶ字形の曲げ部を形成させる。１個のトラス付きデッキプレートに２個のトラスが設けられる場合には逆Ｗ字形の曲げ部を有する端部支持部材が用いられ、１個のトラス付きデッキプレートに３個のトラスが設けられる場合には３つの逆Ｖ字形の曲げ部を有する端部支持部材がデッキプレートの両端部に１個ずつ用いられる。このように１個のトラス付きデッキプレートに２〜３個のトラスを設けることが、溶接の品質を保持し、かつ溶接自動化を容易にするために好ましく、１個のトラス付きデッキプレートに２個のトラスを設けることがより好ましい。
【００１８】
１個のトラス付きデッキプレートが４個またはそれより多い個数例えば５〜８個のトラスを有する場合、その各端部に設けられる端部支持部材はトラスの個数に等しい４個以上の数の逆Ｖ字形の曲げ部を有する一体の端部支持部材を設けてもよいが、２つまたは３つの逆Ｖ字形の曲げ部を有する端部支持部材を別々に設ける方が溶接の品質を保持したり自動溶接機の複雑化を避けるために好ましいことが多い。
【００１９】
以下、２個のトラスが設けられる場合について説明する。図１〜４に示すように、トラス付きデッキプレート１３の２個のトラスの両端部のぞれぞれに端部支持部材１６が設けられている。端部支持部材１６は隣接する２個のトラスの端部に跨るように、鉄筋に前記トラスの配置間隔に合わせて２個のＶ字形の曲げ部１７を形成させてあり、逆Ｗ字形の形状を有する。
【００２０】
図４〜６に示すように、端部支持部材１６の下部から曲げ部頂部内側までの距離で表した端部支持部材１６の高さLはトラスの高さ（底板１２の上面から上弦鉄筋２の上面までの距離）ｈよりも２〜５ｍｍ高くする。図６において上弦鉄筋２の側面と下弦鉄筋３、３’の外側面に接する仮想線（図の点線）２０、２０’が底板１２と交わる点を２１、２１’、２２、２２’とし、交点２１と２１’との距離および隣り合わせのトラスの交点２１’と２２との距離をそれぞれｄ２およびｔ２で表す。図５の端部支持部材１６のＶ字形曲げ部の巾ｄ１が図６のｄ２と一致し、図５の端部支持部材１６の中央の平坦部の長さｔ１が図６のｔ２に一致し、そして図５の端部支持部材１６の水平の各端部１９の長さｅが２〜４ｃｍになるように端部支持部材１６を製作する。なお端部支持部材のＶ字形の曲げ部頂部１７の内側の曲率半径ｒは上弦鉄筋２の半径にほぼ等しくする。しかし、端部支持部材をトラスにセットしたときに傾斜させた端部支持部材のＶ字形の曲げ部頂部１７と上弦鉄筋との当接が上弦鉄筋に溶接されたラチス筋の上側屈曲部により邪魔される場合があるので、それを避けるために端部支持部材のＶ字形の曲げ部頂部１７の内側の曲率半径ｒを上記の値よりもすこし大きくしておくことが好ましい。また図６および図２で示すトラスの巾（一対のラチス鉄筋の下部先端間の距離）ａがｄ２よりも大きいときは端部支持部材１６の下部を底板にセットし難い場合が生じる。この場合には、あらかじめラチス鉄筋の波状屈曲のピッチを変更してトラス端部にラチス鉄筋の下部が位置しないように調節することにより解決できる。または予めａがｄ２よりも小さくなるようにラチス鉄筋の寸法を設計すれば問題はない。
【００２１】
端部支持部材のＶ字形の曲げ部頂部１７が上弦鉄筋を跨ぐようにそして端部支持部材１６の下部が所定の位置になるようにセットした後に、端部支持部材の上部をトラスの内側に向けて傾斜させることにより、端部支持部材１６の曲げ部頂部１７の内側を上弦鉄筋２の上面に当接させ、その状態で端部支持部材のＶ字形の頂部内側と上弦鉄筋２の上面を溶接して固着させる。２個のトラス１，１は同じ製造ロットのものまたは連続して製造されたものが使用されるので、それらの上弦鉄筋の底板からの高さはほぼ等しく、従って上記の端部支持部材の傾斜により、端部支持部材１６の２個の曲げ部頂部１７、１７の両方の内側を上弦鉄筋２、２の上面にそれぞれ当接させさせることができる。そして前記端部支持部材の内側面は下弦鉄筋３,３’の外側面に溶接して固着され、そして端部支持部材の両端部１９および隣り合うＶ字形の曲げ部の中間部の両端１８、１８を底板１２にそれぞれ溶接して固着される。これらの溶接固着はスポット溶接によって行われる。
【００２２】
その結果、前記端部支持部材１６は図４に示すように垂直面から所定の角度トラスの中央に向かって傾斜されている。この傾斜角度αはトラスの高さの許容誤差の範囲内での変動値に依存し、トラスの高さが高い場合には傾斜角度が小さくなり、トラスの高さが低い場合には傾斜角度が大きくなる。上記傾斜角度αが小さすぎると、トラスの高さの変動により端部支持部材の頂部を上弦鉄筋に当接させたり端部支持部材の下部を底板に当接させることが困難になって溶接不良が生じる原因となり、逆に傾斜角度αが大きすぎると端部支持部材の端部支持機能が低下しやすくなる。従って上記傾斜角度αが５〜４５度になるように、端部支持部材１６の高さLはトラスの高さｈよりも２〜５ｍｍ高くすることが好ましい。より好ましい傾斜角度αは１０〜４５度である。このように端部支持部材を傾斜させることにより、トラスの高さが許容誤差の範囲内で変動しても、端部支持部材のＶ字形の頂部を上弦鉄筋に密着させることができるので溶接不良を生じさせることなく溶接の品質を常に良好に保ちながら自動溶接が可能となる。
【００２３】
図７に示すようにトラス付きデッキプレート１３を鉄骨製の横梁２４に架け渡した後、逆Ｗ字形の端部支持部材の下部中央２３（図２、３）を底板１２と共に横梁２４に溶接して固着させる。もし端部支持部材と横梁との溶接長さが短い場合には溶接不良が生じやすくなる。しかし本考案においては、端部支持部材の傾斜角度の値にかかわらず、端部支持部材の下部中央２３の位置は常に一定であって底板よりも浮き上がることはなく、しかも端部支持部材と横梁との溶接長さを充分に長くすることができるので、溶接不良のおそれもなく容易に溶接作業を行うことができる。
【００２４】
横梁が補強鉄筋コンクリート製（ＲＣ造）である場合は、図８，９に示すように、鉄線をＬ字形に曲げたＬ字形部材２５をトラス付きのデッキプレートの底板の両端部、より好ましくはトラスのそれぞれの上部鉄筋端部の真下の位置に溶接する。このＬ字形部材の鉄線としては普通鉄線（ＪＩＳ  Ｇ  ３５３２）で直径５〜１０ｍｍ、例えば直径が７ｍｍのものが用いられる。またこの鉄線に代えて厚み１〜３ｍｍで巾１０〜２０ｍｍの短冊状に切断した鉄板を折り曲げたものもＬ字形部材として使用することができる。
図１０に示すようにこのトラス付きのデッキプレートを横梁に架け渡してＬ字形部材の下向けに曲げられた先端を横梁の補強鉄筋コンクリート型枠２６の外側鉄板２７に引っ掛けようにして係合させてデッキプレートの滑りを防止し、さらに前記型枠の木製横桟２８に釘を底板を貫通して打ち付けて底板を横桟に固定する。
【００２５】
以上は２本のトラスを有するデッキプレートの場合について説明したが、３本のトラスを有するデッキプレートの場合も、３つの逆Ｖ字形の曲げ部を有する端部支持部材３９を図１１、１２に示すように２本のトラスの場合と同様に取り付ける。
【図面の簡単な説明】
【００２６】
【図１】本考案の実施例を示す斜視図（中央部省略）
【図２】本考案の実施例を示す部分平面図
【図３】本考案の実施例を示す正面図
【図４】本考案の実施例を示す側面図（デッキプレートの一方端部を示す）
【図５】本考案の実施例の端部支持部材を示す正面図
【図６】本考案の実施例の寸法関係を示す正面図
【図７】本考案の実施例の施工例を示す側面図（デッキプレートの一方端部を示す）
【図８】本考案の他の実施例を示す斜視図（デッキプレートの一方端部を示す）
【図９】本考案の他の実施例を示す正面図
【図１０】本考案の他の実施例の施工例を示す側面図（デッキプレートの一方端部を示す）
【図１１】本考案の他の実施例の端部支持部材を示す正面図
【図１２】本考案の他の実施例を示す正面図
【図１３】従来技術を示す正面図
【図１４】従来技術を示す側面図
【符号の説明】
【００２７】
１・・トラス
２・・上弦鉄筋
３、３’・・下弦鉄筋
４、４’・・ラチス鉄筋
５・・ラチス鉄筋の上側屈曲部
１２・・底板
１３・・トラス付きデッキプレート
１４・・底板の両縁部
１５、１５’・・底板連結部
１６・・端部支持部材
１７・・端部支持部材Ｖ字形の曲げ部
１８・・Ｖ字形の曲げ部の中間部の両端
１９・・端部支持部材の両端部
２５・・Ｌ字形部材
【図１】
0003157509.tif 000003
【図２】
0003157509.tif 000004
【図３】
0003157509.tif 000005
【図４】
0003157509.tif 000006
【図５】
0003157509.tif 000007
【図６】
0003157509.tif 000008
【図７】
0003157509.tif 000009
【図８】
0003157509.tif 000010
【図９】
0003157509.tif 000011
【図１０】
0003157509.tif 000012
【図１１】
0003157509.tif 000013
【図１２】
0003157509.tif 000014
【図１３】
0003157509.tif 000015
【図１４】
0003157509.tif 000016